(57)【要約】【課題】複数箇所の寸法が表示された工事写真を、簡単且つ短時間で撮影することのできる建物用基礎出来形測定用スケールを提供する。【解決手段】立上り部幅スケール（２）、立上り部高さスケール（３）、ベース幅スケール（４）及びベース高さスケール（５）を連結するとともに、その立上り部幅スケール（２）を、立上り部高さスケール（３）に対して立上り部（７）の高さ方向に移動自在とし、そのベース高さスケール（４）を、ベース幅スケール（５）に対してベース部（１７）の幅方向に移動自在とした。【選択図】　図１
2004093327.tif 000002
【特許請求の範囲】
【請求項１】
基礎の立上り部の幅を測るための立上り部幅スケールと、前記立上り部の高さを測るための立上り部高さスケールとが連結され、その立上り部高さスケールと、基礎のベース部の立上り部より側方へ突出する部分の幅を測るためのベース幅スケールとが連結され、そのベース幅スケールと、ベース部の前記突出する部分の高さを測るためのベース高さスケールとが連結された基礎出来形測定用スケールであって、前記立上り部幅スケールは、立上り部高さスケールに対して、立上り部の高さ方向に移動自在とされているとともに、前記ベース高さスケールは、ベース幅スケールに対して、ベース部の幅方向に移動自在とされていることを特徴とする建物用基礎出来形測定用スケール。
【請求項２】
前記立上り部幅スケールは、立上り部高さスケールに対して、立上り部の幅方向に移動自在とされているとともに、前記ベース高さスケールは、ベース幅スケールに対して、ベース部の高さ方向に移動自在とされている請求項１記載の建物用基礎出来形測定用スケール。
【請求項３】
前記各スケールは、長手方向に沿って長穴が設けられた長尺状であって、立上り部幅スケールは、その立上り部幅スケールの長穴及び立上り部高さスケールの長穴を利用して、立上り部の幅方向と高さ方向にスライド自在とされているとともに、ベース高さスケールは、そのベース高さスケールの長穴及びベース幅スケールの長穴を利用して、ベース部の幅方向と高さ方向にスライド自在とされている請求項１又は２記載の建物用基礎出来形測定用スケール。
【請求項４】
前記立上り部幅スケールと立上り部高さスケールとが、それらスケールの長穴を貫通する連結具によって回転自在に連結され、前記ベース幅スケールとベース高さスケールとが、それらスケールの長穴を貫通する連結具によって回転自在に連結され、前記立上り部高さスケールとベース幅スケールとが、それらスケールに取り付けられた連結具によって回転自在に連結されており、各スケールを適宜回転させることによって、それらスケールが略直線状に折り畳み可能とされている請求項１乃至３のいずれかに記載の建物用基礎出来形測定用スケール。
【請求項５】
前記連結具は、各スケールを測定姿勢に保持するためのネジその他の固定機能を備えている請求項１乃至４のいずれかに記載の建物用基礎出来形測定用スケール。
【請求項６】
前記各スケールには、少なくともベース幅スケールとベース高さスケールとに水平器が取り付けられている請求項１乃至５のいずれかに記載の建物用基礎出来形測定用スケール。
【請求項７】
前記各スケールは、透明又は半透明とされている請求項１乃至６のいずれかに記載の建物用基礎出来形測定用スケール。
【請求項８】
前記立上り部幅スケールには、立上り部高さスケールと連結する側とは反対側の長手方向端部に、基礎の立上り部の上端コーナー部分に係止させるための鈎部が設けられている請求項１乃至７のいずれかに記載の建物用基礎出来形測定用スケール。
【発明の詳細な説明】
【０００１】
【発明の属する技術分野】
この発明は、建物の出来形寸法を測定するためのスケールに関する。
【０００２】
【従来の技術】
一般に、建物の出来形を記録した工事写真は、各部位の寸法が確認できるようにスケールを添えて撮影されている。図６に示すように、ベース部（４１）と立上り部（４２）からなる基礎（４３）の場合、その立上り部（４２）の幅（４４）と高さ（４５）、そのベース部（４１）の立上り部（４２）より側方へ突出する部分の幅（４６）と高さ（４７）を確認できるように、例えばコンベックス（４８）（４９）（５０）を添えて撮影されている。
【０００３】
具体的には、立上り部の幅（４４）については、立上り部（４２）の上面（５１）に図示しないコンベックスを添えて撮影される。また、立上り部の高さ（４５）については、立上り部（４２）の上面（５１）に水平器（５２）を載置するとともに、ベース部（４１）の上端の高さ位置にも水平器（５３）を配した後、それら水平器（５２）（５３）間の距離を示すようにコンベックス（４８）を添えて撮影される。
【０００４】
他方、ベース部（４１）の高さ（４７）については、その上端の高さ位置に水平器（５３）を配した後、その水平器（５３）から地面（５４）までの距離を示すようにコンベックス（４９）を添えて撮影される。ベース部（４１）の前記突出する部分の幅（４６）については、水平器（５５）を、その水平器（５５）の下端をベース部（４１）の側端部に当接させた状態で、地面（５３）から鉛直方向に立設した後、その水平器（５５）から立上り部（４２）の側面（５６）までの距離を示すようにコンベックス（５０）を添えて撮影される。なお、スケールとしては、コンベックスの他に、箱尺、クロスロッド、工事写真用計測テープ等が使用されている。
【０００５】
【発明が解決しようとする課題】
しかし、上記のような撮影は、スケール（４８）（４９）（５０）や水平器（５２）（５４）（５５）を支えるための撮影補助者必要であった。また、基礎（４３）のベース部（４１）が曲面を有する場合、スケール（４８）（４９）（５０）や水平器（５２）（５４）（５５）を水平な状態や鉛直な状態で支えておくことが困難で、正確な寸法を表示できないでいた。さらに、全ての寸法（４４）（４５）（４６）（４７）を一枚の写真で表示しようとすると、スケール（４８）（４９）（５０）や水平器（５２）（５４）（５５）を複数個用意しなければならず、また、それらスケール（４８）（４９）（５０）及び水平器（５２）（５４）（５５）を支えるための撮影補助者も複数人必要であった。
【０００６】
そこで、この発明は、上記不具合を解消し、複数箇所の寸法が表示された工事写真を、簡単且つ短時間で撮影することのできる建物用基礎出来形測定用スケールを提供することを目的とする。
【０００７】
【課題を解決するための手段】
上記課題を解決するため、この発明の建物用基礎出来形測定用スケールは、基礎の立上り部の幅を測るための立上り部幅スケールと、前記立上り部の高さを測るための立上り部高さスケールとが連結され、その立上り部高さスケールと、基礎のベース部の立上り部より側方へ突出する部分の幅を測るためのベース幅スケールとが連結され、そのベース幅スケールと、ベース部の前記突出する部分の高さを測るためのベース高さスケールとが連結された基礎出来形測定用スケールであって、前記立上り部幅スケールは、立上り部高さスケールに対して、立上り部の高さ方向に移動自在とされているとともに、前記ベース高さスケールは、ベース幅スケールに対して、ベース部の幅方向に移動自在とされていることを特徴とする。
【０００８】
また、前記立上り部幅スケールは、立上り部高さスケールに対して、立上り部の幅方向に移動自在とされているとともに、前記ベース高さスケールは、ベース幅スケールに対して、ベース部の高さ方向に移動自在とされている。
【０００９】
具体的には、前記各スケールは、長手方向に沿って長穴が設けられた長尺状であって、立上り部幅スケールは、その立上り部幅スケールの長穴及び立上り部高さスケールの長穴を利用して、立上り部の幅方向と高さ方向にスライド自在とされているとともに、ベース高さスケールは、そのベース高さスケールの長穴及びベース幅スケールの長穴を利用して、ベース部の幅方向と高さ方向にスライド自在とされている。
【００１０】
さらに、前記立上り部幅スケールと立上り部高さスケールとが、それらスケールの長穴を貫通する連結具によって回転自在に連結され、前記ベース幅スケールとベース高さスケールとが、それらスケールの長穴を貫通する連結具によって回転自在に連結され、前記立上り部高さスケールとベース幅スケールとが、それらスケールに取り付けられた連結具によって回転自在に連結されており、各スケールを適宜回転させることによって、それらスケールが略直線状に折り畳み可能とされている。
【００１１】
さらにまた、前記連結具は、各スケールを測定姿勢に保持するためのネジその他の固定機能を備えている。
【００１２】
その上、前記各スケールには、少なくともベース幅スケールとベース高さスケールとに水平器が取り付けられている。また、前記各スケールは、透明又は半透明とされている。
【００１３】
加えて、前記立上り部幅スケールには、立上り部高さスケールと連結する側とは反対側の長手方向端部に、基礎の立上り部の上端コーナー部分に係止させるための鈎部が設けられている。
【００１４】
【発明の実施の形態】
以下、この発明の実施形態を図面に基づいて詳細に説明する。図１に示すように、この発明の一実施形態に係る建物用基礎出来形測定用スケール（１）は、立上り部幅スケール（２）、立上り部高さスケール（３）、ベース幅スケール（４）、及び、ベース高さスケール（５）からなる。
【００１５】
立上り部幅スケール（２）は、基礎（６）の立上り部（７）の幅（８）を測るためのスケールであって、図２に示すように、例えば間隔を開けて平行に配された一対の長尺状のプレート（９）（９）からなる。各プレート（９）（９）には、一方の端部を垂直下方に突出させることによって、鈎部（１０）（１０）が形成されている。また、それらプレート（９）（９）は、鈎部（１０）（１０）間に取り付けられたスペーサ（１１）によって一体に連結されており、その鈎部（１０）（１０）とは反対側の端部間が開放している。
【００１６】
各プレート（９）（９）には、鈎部（１０）（１０）とは反対側の端部付近であって、短手方向の略中央位置に、そのプレート（９）（９）の長手方向に沿って長穴（１２）（１２）が設けられている。また、その長穴（１２）（１２）の下側には、長手方向に沿って、立上り部（７）の幅（８）を示す目盛（１３）（１３）が設けられている。
【００１７】
立上り部高さスケール（３）は、基礎（６）の立上り部（７）の高さ（１４）を測るためのスケールであって、例えば長尺状のプレートからなる。この立上り部高さスケール（３）の上端部側には、例えば短手方向の略中央位置に、その立上り部高さスケール（３）の長手方向に沿って長穴（１５）が設けられている。また、立上り部高さスケール（３）の上端部側には、例えば長穴（１５）を挟んで基礎（６）とは反対側の側端縁付近に、長手方向に沿って立上り部（７）の高さ（１４）を示す目盛（１６）が設けられている。さらに、立上り部高さスケール（３）の下端部には、例えば短手方向の略中央位置に、穴部（１７）が設けられている。
【００１８】
ベース幅スケール（４）は、基礎（６）のベース部（１８）における立上り部（７）より側方へ突出する部分の幅（１９）を測るためのスケールであって、例えば長尺状のプレートからなる。このベース幅スケール（４）の長手方向における立上り部（７）に近い側の端部には、例えば短手方向の略中央位置に、穴部（２０）が設けられている。また、ベース幅スケール（４）の長手方向における基礎（６）から遠い側の端部側には、例えば短手方向の略中央位置に、そのベース幅スケール（４）の長手方向に沿って長穴（２１）が設けられている。また、その長穴（２１）の下側には、例えば長手方向に沿って、ベース部（１７）の前記突出する部分の幅（１９）を示す目盛（２２）が設けられている。さらに、ベース幅スケール（４）の上端縁には、例えば長手方向の略中央位置に、水平器（２３）が取り付けられている。
【００１９】
ベース高さスケール（５）は、ベース部（１８）の高さ（２４）を測るためのスケールであって、例えば長尺状のプレートからなる。このベース高さスケール（５）の上端側には、例えば短手方向の略中央位置に、そのベース高さスケール（５）の長手方向に沿って長穴（２５）が設けられている。また、ベース部高さスケール（５）の上端部には、例えば長穴（２５）を挟んで基礎（６）とは反対側の側端縁付近に、長手方向に沿って、ベース部（１７）の高さ（２４）を示す目盛（２６）が設けられている。さらに、ベース高さスケール（５）の上端縁には、水平器（２７）が取り付けられている。
【００２０】
各スケール（２）（３）（４）（５）は、固定機能を備えた連結具としてのボルト（２８）（２９）（３０）及び蝶ナット（３１）（３２）（３３）によって連結されている。具体的には、立上り部幅スケール（２）と立上り部高さスケール（３）とが連結され、立上り部高さスケール（３）とベース幅スケール（４）とが連結され、ベース幅スケール（４）とベース高さスケール（５）とが連結されている。
【００２１】
立上り部幅スケール（２）と立上り部高さスケール（３）とは、この立上り部幅スケール（２）のプレート（９）（９）間にその立上り部高さスケール（３）の上端部を差し込んだ状態で、その立上り部幅スケール（２）の長穴（１２）及び立上り部高さスケール（３）の長穴（１５）を貫通するボルト（２８）に、座金（３４）及び蝶ナット（３１）を取り付けて、回転自在に連結されている。
【００２２】
また、蝶ナット（３１）が緩められた状態において、前記ボルト（２８）は、立上り部幅スケール（２）の長穴（１２）に沿ってスライド自在である。すなわち、この立上り部幅スケール（２）は、立上り部高さスケール（３）に対して、立上り部（７）の幅方向にスライド自在である。
【００２３】
さらに、蝶ナット（３１）を緩めた状態において、前記ボルト（２８）は、立上り部高さスケール（３）の長穴（１５）に沿ってスライド自在である。すなわち、立上り部幅スケール（２）は、立上り部高さスケール（３）に対して、立上り部（５）の高さ方向にスライド自在である。
【００２４】
そして、蝶ナット（３１）を締め付けることによって、その立上り部幅スケール（２）を、その立上り部高さスケール（３）に対して任意の地点、且つ、任意の角度に固定することができる。すなわち、立上り部幅スケール（２）と立上り部高さスケール（３）とを任意の測定姿勢に保持することができる。
【００２５】
立上り部高さスケール（３）とベース幅スケール（４）とは、その立上り部高さスケール（３）の穴部（１７）及びベース幅スケール（４）の穴部（２０）を貫通するボルト（２９）に、座金（３５）及び蝶ナット（３２）を取り付けて、回転自在に連結されている。そして、蝶ナット（３２）を締め付ければ、立上り部高さスケール（３）とベース幅スケール（４）とを任意の角度で固定することができる。すなわち、立上り部高さスケール（３）とベース幅スケール（４）とを任意の測定姿勢に保持することができる。
【００２６】
ベース幅スケール（４）とベース高さスケール（５）とは、そのベース部幅スケール（４）の長穴（２１）及びベース部高さスケール（５）の長穴（２５）を貫通するボルト（３０）に、座金（３６）及び蝶ナット（３３）を取り付けて、回転自在に連結されている。
【００２７】
また、蝶ナット（３３）を緩めた状態において、前記ボルト（３０）は、ベース部幅スケール（４）の長穴（２１）に沿ってスライド自在である。すなわち、立上り部高さスケール（５）は、ベース部幅スケール（４）に対して、ベース部（１８）の幅方向にスライド自在である。
【００２８】
さらに、蝶ナット（３３）を緩めた状態において、ボルト（３０）は、ベース部高さスケール（５）の長穴（２５）に沿ってスライド自在である。すなわち、ベース高さスケール（５）は、ベース幅スケール（４）に対して、ベース部（１８）の高さ方向にスライド自在である。
【００２９】
そして、蝶ナット（３３）を締め付けることによって、ベース高さスケール（５）を、ベース幅スケール（４）に対して任意の地点、且つ、任意の角度に固定することができる。すなわち、ベース幅スケール（４）とベース高さスケール（５）とを任意の測定姿勢に保持することができる。
【００３０】
次に、上記スケール（１）を使用して基礎（６）の各寸法（８）（１４）（１９）（２４）を表示する方法を、図１に基づいて説明する。
【００３１】
まず、各蝶ナット（３１）（３２）（３３）を緩めて、各スケール（２）（３）（４）（５）をスライド及び回転可能な状態にする。そして、立上り部幅スケール（２）の鈎部（１０）を、基礎（６）の立上り部（７）の上端コーナー部分に係止させた状態で、その立上り部幅スケール（２）を立上り部（７）の上面（３７）に設置する。
【００３２】
なお、立上り部幅スケール（２）は、２枚のプレート（９）（９）間にスペーサ（１１）を介在させたものであるため、基礎（６）の上面（３７）に自立可能な厚みを備えている。したがって、工事写真の撮影時に、その出来形測定用スケール（１）を支持する撮影補助者がいなくても、１人で撮影することができる。また、立上り部幅スケール（２）には鈎部（１０）（１０）が設けられているため、その立上り部幅スケール（２）の長手方向であって鈎部（１０）（１０）とは反対側の端部方向へずれ動くことがない。
【００３３】
次に、立上り部高さスケール（３）を立上り部（７）の幅方向にスライドさせて、その立上り部高さスケール（３）側端縁を立上り部（７）の側面（３８）に平行に当接させる。さらに、立上り部高さスケール（３）を立上り部（７）の高さ方向にスライドさせて、その立上り部高さスケール（３）の下端を基礎（６）のベース部（１８）に当接させる。そして、立上り部幅スケール（２）と立上り部高さスケール（３）とを連結するボルト（２８）の蝶ナット（３１）を締め付けて、それら立上り部幅スケール（２）と立上り部高さスケール（３）とが直角に交差するように固定する。
【００３４】
次に、ベース幅スケール（４）の水平器（２３）によって水平を見ながら、そのベース幅スケール（４）を水平状態にする。そして、立上り部高さスケール（３）とベース幅スケール（４）とを連結するボルト（２９）の蝶ナット（３２）を締め付けて、それら立上り部高さスケール（３）とベース幅スケール（４）とが直角に交差するように固定する。
【００３５】
次に、ベース高さスケール（５）をベース部（１８）の幅方向にスライドさせて、そのベース高さスケール（５）の基礎（６）に近い側の側端縁を、ベース部（１８）の側端縁に当接させるとともに、前記ベース高さスケール（５）をベース部（１８）の高さ方向にスライドさせて、そのベース高さスケール（５）の下端を地面（３４）に当接させる。また、ベース高さスケール（５）の水平器（２７）によって水平を見ながら、そのベース高さスケール（５）を地面（３７）から鉛直方向に立設させる。
【００３６】
そして、ベース幅スケール（４）とベース高さスケール（５）とを連結するボルト（３０）の蝶ナット（３３）を締め付けて、それらベース幅スケール（４）とベース高さスケール（５）とが直角に交差するように固定する。
【００３７】
このように基礎出来形測定用スケール（１）を基礎（６）に添えることによって、基礎（６）の各寸法（８）（１４）（１９）（２４）を一度に表示することができる。したがって、基礎（６）の工事写真を、簡単且つ短時間で撮影することができる。
【００３８】
立上り部（７）の幅（８）は、図３に示すように、立上り部幅スケール（２）の目盛（１３）が、立上り部高さスケール（３）の基礎（６）に近い側の側端縁と交差する位置（Ａ）の値を読み取れば確認できる。また、立上り部（７）の高さ（１４）は、立上り部高さスケール（３）の目盛（１６）が、立上り部幅スケール（２）の下端縁と交差する位置（Ｂ）の値を読み取れば確認できる。
【００３９】
ベース部（１８）の幅（１９）は、図４に示すように、ベース幅スケール（４）の目盛（２２）が、ベース高さスケール（５）の基礎（６）に近い側の側端縁と交差する位置（Ｃ）の値を読み取れば確認できる。ベース部（１８）の高さ（２４）は、ベース高さスケール（５）の目盛（２６）が、ベース幅スケール（４）の下端縁と交差する位置（Ｄ）の値を読み取れば確認できる。
【００４０】
なお、各スケール（２）（３）（４）（５）は、透明の樹脂製であるため、連結部分でスケール（２）（３）（４）（５）同士が重なり合っていても、後ろ側にあるスケール（２）（３）（４）（５）の位置を確認することができ、目盛が読み取りやすい。
【００４１】
基礎出来形測定用スケール（１）は、各スケール（２）（３）（４）（５）を適宜回転させることによって、略直線状に折り畳み可能とされている。すなわち、立上り部幅スケール（２）は、図５に示すように、ボルト（２８）を軸にして回転させることによって、立上り部高さスケール（３）に重ね合わせることができる。
【００４２】
また、ベース幅スケール（４）は、ボルト（２９）を軸にして回転させることによって、立上り部高さスケール（３）に重ね合わせることができる。さらに、ベース高さスケール（５）も、ボルト（３０）を軸にして回転させることによって、立上り部高さスケール（３）に重ね合わせた状態のベース幅スケール（４）に重ね合わせることができる。
【００４３】
したがって、建物用基礎出来形測定用スケール（１）は、使用しないときは折り畳んでおけば嵩張らず邪魔にならない。また、略直線状に小さく折り畳めるため携帯性にも優れている。
【００４４】
この発明は、上記実施形態に限定されるものではなく、この発明の範囲内で上記実施形態に多くの修正及び変更を加え得ることは勿論である。例えば、各スケール（２）（３）（４）（５）は、透明のものに限られず、半透明や不透明であっても良い。また、水平器は、ベース幅スケール（４）やベース高さスケール（５）だけでなく、立上り部幅スケール（２）や立上り部高さスケール（３）に取り付けても良い。
【００４５】
【発明の効果】
以上の説明から明らかなように、この発明の建物用基礎出来形測定用スケールは、立上り部幅スケールが、立上り部高さスケールに対して、立上り部の高さ方向に移動自在であるとともに、ベース高さスケールが、ベース幅スケールに対して、ベース部の幅方向に移動自在である。そのため、予め立上り部高さスケールとベース幅スケールとを出来形の所定位置に添えるとともに、立上り部幅スケールを移動させて立上り部上面に当接させ、ベース高さスケールを移動させてベース部側端縁に当接させれば、基礎の立上り部の幅及び高さと、ベース部の立上り部より側方へ突出する部分の幅及び高さを表示することができる。したがって、それら複数箇所の寸法が表示された工事写真を、簡単且つ短時間で撮影することができる。
【００４６】
また、立上り部幅スケールが、立上り部高さスケールに対して、立上り部の幅方向に移動自在であるため、目盛の読みやすい位置にその立上り部幅スケールを移動させることができる。また、ベース高さスケールが、ベース幅スケールに対して、ベース部の高さ方向に移動自在であるため、そのベース高さスケールの下端の位置を、地面に合わせて自由に調節することができる。
【００４７】
また、各スケールの移動は、長穴を利用した簡単な構造によって実現されているため、基礎出来形測定用スケールを薄型且つ軽量にすることができる。
【００４８】
さらに、各スケール同士は、それらスケールの長穴を貫通する連結具によって回転自在に連結されるものであって、略直線状に折り畳み可能であるため、使用しないときは折り畳んでおけば嵩張らず邪魔にならない。また、略直線状に小さく折り畳めるため携帯性にも優れている。そして、連結具は、各スケールを測定姿勢に保持するためのネジその他の固定機能を備えているため、各スケール同士を任意の位置や角度で固定することができる。
【００４９】
加えて、各スケールには、水平器が取り付けられているため、曲面や傾斜面が形成された出来形であっても正確に測定することができる。また、各スケールは、透明又は半透明とされているため、スケール同士が重なり合った連結部分において、後ろ側のスケールの位置を容易に確認することができ、目盛が読み取りやすい。
【００５０】
その上、立上り部幅スケールには、立上り部高さスケールと連結する側とは反対側の長手方向端部に、基礎の立上り部の上端コーナー部分に係止させるための鈎部が設けられているため、測定の際、立上り部幅スケールの位置決めが簡単である。
【図面の簡単な説明】
【図１】この発明の実施形態に係る基礎出来形測定用スケールの使用状態を示す図である。
【図２】同じく、その分解斜視図である。
【図３】立上り部幅スケールと立上り部高さスケールとの連結部分周辺を示す図である。
【図４】ベース幅スケールとベース高さスケールとの連結部分周辺を示す図である。
【図５】基礎出来形測定用スケールを折り畳んだ状態を示す図である。
【図６】従来のスケールの使用状態を示す図である。
【符号の説明】
（１）　基礎出来形測定用スケール
（２）　立上り部幅スケール
（３）　立上り部高さスケール
（４）　ベース幅スケール
（５）　ベース高さスケール
（６）　基礎
（７）　立上り部
（８）　立上り部の幅
（１０）　鈎部
（１２）（１５）（２１）（２５）　長穴
（１４）　立上り部の高さ
（１８）　ベース部
（１９）　突出部分の幅
（２３）（２７）　水平器
（２４）　ベース部の高さ
（２８）（２９）（３０）　連結具
【図１】
2004093327.tif 000003
【図２】
2004093327.tif 000004
【図３】
2004093327.tif 000005
【図４】
2004093327.tif 000006
【図５】
2004093327.tif 000007
【図６】
2004093327.tif 000008